(57)【要約】 【課題】フレーム構造内におけるＤＬ-ＭＡＰの占める割合を大幅に増やすことなく、ＤＬ-ＭＡＰの受信確率を高める。【解決手段】ＷｉＭＡＸ対応基地局ＢＳは、ＭＡＰ領域における送信情報として、ＤＬ-ＭＡＰを割り当て、下りバースト領域における送信情報として、下りバーストを割り当てる割り当て部１０Ｂ、１０Ｃと、無指向性ビームでＤＬ-ＭＡＰを送信し、無指向性ビーム又は指向性ビームで下りバーストを送信する送信部１０Ｆとを具備し、割り当て部１０Ｂは、フレーム構造において、ＭＡＰ領域及び下りバースト領域における送信情報を割り当てた後、送信情報が割り当てられていない領域である未使用領域Ａを検出した場合、検出された未使用領域Ａを利用して、ＭＡＰ領域における送信情報として、同一の下りバーストの割り当て情報を再度割り当てる。【選択図】図６
2012075159.tif 000002
【特許請求の範囲】
【請求項１】
制御領域を含むフレーム単位で通信を行う基地局であって、
前記制御領域における移動局への割り当てとして、下りバーストの割り当て情報に対応する制御チャネル要素を割り当てる割り当て部と、
前記制御領域のシンボル数を示す情報を送信する送信部と、を具備し、
前記割り当て部は、前記シンボル数が定められた前記制御領域における、同一の前記制御チャネル要素の数を制御できるように構成されていることを特徴とする基地局。
【請求項２】
制御領域を含むフレーム単位で通信を行う移動局であって、
前記制御領域において割り当てられた下りバーストの割り当て情報に対応する制御チャネル要素と、前記制御領域のシンボル数を示す情報と、を受信するように構成されている受信部を具備し、
前記シンボル数が定められた前記制御領域における、同一の前記制御チャネル要素の数が前記基地局によって制御されることを特徴とする移動局。
【請求項３】
制御領域を含むフレーム単位で通信を行う移動通信方法であって、
基地局が、前記制御領域における移動局への割り当てとして、下りバーストの割り当て情報に対応する制御チャネル要素を割り当てる工程と、
前記基地局が、前記制御領域のシンボル数を示す情報を送信する工程と、を具備し、
前記割り当てる工程で、前記シンボル数が定められた前記制御領域における、同一の前記制御チャネル要素の数を制御することを特徴とする移動通信方法。
【請求項４】
制御領域を含むフレーム単位で通信を行う移動通信方法であって、
移動局が、前記制御領域において割り当てられた下りバーストの割り当て情報に対応する制御チャネル要素と、前記制御領域のシンボル数を示す情報と、を受信する工程を具備し、
前記シンボル数が定められた前記制御領域における、同一の前記制御チャネル要素の数が前記基地局によって制御されることを特徴とする移動通信方法。
【発明の詳細な説明】
【技術分野】
【０００１】
本発明は、基地局から移動局に対して、第１の領域及び第２の領域からなるフレーム構造を用いて下りバーストを送信する移動通信方法、かかる方法に用いられる基地局及び移動局に関する。
【背景技術】
【０００２】
近年、「ＷｉＭＡＸフォーラム」にて、ＷｉＭＡＸ対応移動局ＳＳとＷｉＭＡＸ対応基地局ＢＳとを具備する移動通信システムの規格化が進められている。
【０００３】
かかる移動通信システムでは、ＷｉＭＡＸ対応基地局ＢＳは、ＷｉＭＡＸ対応移動局ＳＳに対して、ＭＡＰ領域（第１の領域）及び下りバースト領域（第２の領域）からなるフレーム構造を用いて下りバーストを送信するように構成されている。かかるフレーム構造の一例を、図１、図２及び図３に示す。
【０００４】
具体的には、ＷｉＭＡＸ対応基地局ＢＳは、ＭＡＰ領域における送信情報として、ＤＬ-ＭＡＰ（下りバーストの割り当て情報）等を割り当て、下りバースト領域における送信情報として、当該ＤＬ-ＭＡＰに係る下りバースト等を割り当てるように構成されている。
【０００５】
ここで、ＤＬ-ＭＡＰは、下りバースト領域における下りバーストの割り当て位置を示す情報を含む。
【０００６】
また、ＷｉＭＡＸ対応基地局ＢＳは、図４に示すように、ＡＡＳ（Ａｄａｐｔｉｖｅ  Ａｎｎｔｅｎｎａ  Ｓｙｓｔｅｍ）を用いて、指向性ビームで、各ＷｉＭＡＸ対応移動局ＳＳに対して、下りバースト領域における送信情報（下りバースト等）を送信するように構成されている。
【０００７】
なお、ＷｉＭＡＸ対応基地局ＢＳは、下りバースト領域における送信情報の一部については、ＡＡＳを用いることなく、無指向性ビームで、当該ＷｉＭＡＸ対応基地局ＢＳにより管理されているエリア内の全てのＷｉＭＡＸ対応移動局ＳＳに対して送信するように構成されていてもよい。
【０００８】
また、ＷｉＭＡＸ対応基地局ＢＳは、ＡＡＳを用いることなく、無指向性ビームで、当該ＷｉＭＡＸ対応基地局ＢＳにより管理されているエリア内の全てのＷｉＭＡＸ対応移動局ＳＳに対して、ＭＡＰ領域における送信情報（ＤＬ-ＭＡＰ等）を送信するように構成されている。
【先行技術文献】
【特許文献】
【０００９】
【特許文献１】特開２００６-７４３２５号公報、ＵＳ２００６/００４６６４３Ａ１
【非特許文献】
【００１０】
【非特許文献１】IEEE Standard for Local and Metropolitan Area Networks Part 16: Air Interface for Fixed Broadband Wireless Access Systems (IEEE Std 802.16-2004), October 1, 2004
【非特許文献２】IEEE Standard for Local and Metropolitan Area Networks Part 16: Air Interface for Fixed and Mobile Broadband Wireless Access Systems Amendment 2: Physical and Medium Access Control Layers for Combined Fixed and Mobile Operation in Licensed Bands and Corrigendum 1 (IEEE Std 802.16e-2005), February, 2006
【発明の概要】
【発明が解決しようとする課題】
【００１１】
しかしながら、上述のような移動通信システムでは、ＷｉＭＡＸ対応移動局ＳＳは、ＷｉＭＡＸ対応基地局ＢＳから送信されたＤＬ-ＭＡＰの受信処理に失敗すると、下りバースト領域における下りバーストの割り当て位置を知ることができないため、当該下りバーストを受信することができないという問題点があった。
【００１２】
特に、図４に示すように、無指向性ビームで送信されるＭＡＰ領域における送信情報であるＤＬ-ＭＡＰが到達可能なエリア（ＭＡＰ領域到達エリア）は、指向性ビームで送信される下りバースト領域における送信情報である下りバーストが到達可能なエリア（下りバースト領域到達エリア）よりも狭いため、ＷｉＭＡＸ対応移動局ＳＳがＤＬ-ＭＡＰの受信処理に失敗する可能性が、ＷｉＭＡＸ対応移動局ＳＳが下りバーストの受信処理に失敗する可能性よりも高いという問題点があった。
【００１３】
また、上述のような移動通信システムにおいて、ＤＬ-ＭＡＰの受信確率を高めるために、単純に、ＤＬ-ＭＡＰの送信回数を増やすと、フレーム構造内におけるＤＬ-ＭＡＰの占める割合が大きくなってしまい、下りバーストの伝送速度が低下してしまうという問題点があった。
【００１４】
そこで、本発明は、以上の点に鑑みてなされたもので、フレーム構造内におけるＤＬ-ＭＡＰの占める割合を大幅に増やすことなく、ＤＬ-ＭＡＰの受信確率を高めることができる基地局、移動局及び移動通信方法を提供することを目的とする。
【課題を解決するための手段】
【００１５】
本発明の第１の特徴は、制御領域を含むフレーム単位で通信を行う基地局であって、前記制御領域における移動局への割り当てとして、下りバーストの割り当て情報に対応する制御チャネル要素を割り当てる割り当て部と、前記制御領域のシンボル数を示す情報を送信する送信部と、を具備し、前記割り当て部は、前記シンボル数が定められた前記制御領域における、同一の前記制御チャネル要素の数を制御できるように構成されていることを要旨とする。
【００１６】
本発明の第２の特徴は、制御領域を含むフレーム単位で通信を行う移動局であって、前記制御領域において割り当てられた下りバーストの割り当て情報に対応する制御チャネル要素と、前記制御領域のシンボル数を示す情報と、を受信するように構成されている受信部を具備し、前記シンボル数が定められた前記制御領域における、同一の前記制御チャネル要素の数が前記基地局によって制御されることを要旨とする。
【００１７】
本発明の第３の特徴は、制御領域を含むフレーム単位で通信を行う移動通信方法であって、基地局が、前記制御領域における移動局への割り当てとして、下りバーストの割り当て情報に対応する制御チャネル要素を割り当てる工程と、前記基地局が、前記制御領域のシンボル数を示す情報を送信する工程と、を具備し、前記割り当てる工程で、前記シンボル数が定められた前記制御領域における、同一の前記制御チャネル要素の数を制御することを要旨とする。
【００１８】
本発明の第４の特徴は、制御領域を含むフレーム単位で通信を行う移動通信方法であって、移動局が、前記制御領域において割り当てられた下りバーストの割り当て情報に対応する制御チャネル要素と、前記制御領域のシンボル数を示す情報と、を受信する工程を具備し、前記シンボル数が定められた前記制御領域における、同一の前記制御チャネル要素の数が前記基地局によって制御されることを要旨とする。
【発明の効果】
【００１９】
本発明によれば、フレーム構造内におけるＤＬ-ＭＡＰの占める割合を大幅に増やすことなく、ＤＬ-ＭＡＰの受信確率を高めることができる基地局、移動局及び移動通信方法を提供できる。
【図面の簡単な説明】
【００２０】
【図１】図１は、従来のＷｉＭＡＸ対応基地局の送信部によって送信されるフレーム構造の一例を示す図である。
【図２】図２は、従来のＷｉＭＡＸ対応基地局の送信部によって送信されるフレーム構造の一例を示す図である。
【図３】図３は、従来のＷｉＭＡＸ対応基地局の送信部によって送信されるフレーム構造の一例を示す図である。
【図４】図４は、ＷｉＭＡＸ対応基地局及びＷｉＭＡＸ対応移動局を含む移動通信システムの全体構成図である。
【図５】図５は、本発明の第１の実施形態に係るＷｉＭＡＸ対応基地局のハードウエア機能ブロック図である。
【図６】図６は、本発明の第１の実施形態に係るＷｉＭＡＸ対応基地局の制御部におけるソフトウエア機能ブロック図である。
【図７】図７は、本発明の第１の実施形態に係るＷｉＭＡＸ対応基地局のＭＡＰ領域割り当て部によって作成されるＤＬ-ＭＡＰに含まれる「Ｄｉｆｆｅｒｅｎｔ  ｂｕｒｓｔ  ｐｒｏｆｉｌｅｓ  ＩＥ」のフォーマットの一例を示す図である。
【図８】図８は、本発明の第１の実施形態において下りバーストの特定方法について説明するための図である。
【図９】図９は、本発明の第１の実施形態に係るＷｉＭＡＸ対応基地局の送信部によって送信されるフレーム構造の一例を示す図である。
【図１０】図１０は、本発明の第１の実施形態に係るＷｉＭＡＸ対応基地局のＭＡＰ領域割り当て部によって作成されるＤＬＦＰのフォーマットの一例を示す図である。
【図１１】図１１は、本発明の第１の実施形態に係るＷｉＭＡＸ対応移動局のハードウエア機能ブロック図である。
【図１２】図１２は、本発明の第１の実施形態に係るＷｉＭＡＸ対応移動局の制御部におけるソフトウエア機能ブロック図である。
【図１３】図１３は、本発明の第１の実施形態に係るＷｉＭＡＸ対応基地局の動作を示すフローチャートである。
【図１４】図１４は、本発明の第１の実施形態に係るＷｉＭＡＸ対応移動局の動作を示すフローチャートである。
【図１５】図１５は、本発明の第２の実施形態に係るＷｉＭＡＸ対応基地局の送信部によって送信されるフレーム構造の一例を示す図である。
【図１６】図１６は、本発明の第２の実施形態に係るＷｉＭＡＸ対応基地局のＭＡＰ領域割り当て部によって作成されるＤＬＦＰのフォーマットの一例を示す図である。
【図１７】図１７は、本発明の第２の実施形態に係るＷｉＭＡＸ対応基地局の動作を示すフローチャートである。
【図１８】図１８は、本発明の第２の実施形態に係るＷｉＭＡＸ対応移動局の動作を示すフローチャートである。
【図１９】図１９は、本発明の第３の実施形態に係るＷｉＭＡＸ対応基地局の送信部によって送信されるフレーム構造の一例を示す図である。
【図２０】図２０は、本発明の第２の実施形態に係るＷｉＭＡＸ対応基地局のＭＡＰ領域割り当て部によって作成されるＤＬＦＰのフォーマットの一例を示す図である。
【図２１】図２１は、本発明の第３の実施形態に係るＷｉＭＡＸ対応基地局の動作を示すフローチャートである。
【図２２】図２２は、本発明の第３の実施形態に係るＷｉＭＡＸ対応移動局の動作を示すフローチャートである。
【発明を実施するための形態】
【００２１】
（本発明の第１の実施形態に係る移動通信システムの構成）
図４乃至図１２を参照して、本発明の第１の実施形態に係る移動通信システムの構成について説明する。図４に示すように、本実施形態に係る移動通信システムは、ＷｉＭＡＸ対応移動局ＳＳと、ＷｉＭＡＸ対応基地局ＢＳとを具備している。
【００２２】
具体的には、ＷｉＭＡＸ対応基地局ＢＳは、図４に示すように、ＡＡＳを用いて、指向性ビームで、各ＷｉＭＡＸ対応移動局ＳＳに対して、下りバースト領域における送信情報（下りバースト等）を送信するように構成されている。
【００２３】
また、ＷｉＭＡＸ対応基地局ＢＳは、ＡＡＳを用いることなく、無指向性ビームで、当該ＷｉＭＡＸ対応基地局ＢＳにより管理されているエリア内の全てのＷｉＭＡＸ対応移動局ＳＳに対して、ＭＡＰ領域における送信情報（ＤＬ-ＭＡＰ等）を送信するように構成されている。
【００２４】
ＷｉＭＡＸ対応基地局ＢＳは、ＷｉＭＡＸにて規定されているプロトコルに対応可能な基地局であって、ＷｉＭＡＸ対応移動局ＳＳに対して、ＭＡＰ領域（第１の領域）及び下りバースト領域（第２の領域）からなるフレーム構造を用いて下りバーストを送信するように構成されている。
【００２５】
図５に示すように、ＷｉＭＡＸ対応基地局ＢＳは、ハードウエア構成として、制御部１０と、上位局インターフェース１１と、記憶部１２と、無線通信部１３とを具備している。
【００２６】
上位局インターフェース１１は、ＷｉＭＡＸ対応基地局ＢＳの上位局との間の通信インターフェース機能を具備しており、記憶部１２は、フラッシュメモリ等によって構成されている。
【００２７】
また、無線通信部１３は、送受信アンテナ１４を介して、ＷｉＭＡＸ対応移動局ＳＳとの間で無線通信を行うように構成されている。
【００２８】
制御部１０は、ＣＰＵ等によって構成されており、各部１１乃至１３を制御するように構成されている。
【００２９】
図６に示すように、制御部１０は、ソフトウエア機能として、受信部１０Ａと、ＭＡＰ領域割り当て部１０Ｂと、下りバースト領域割り当て部１０Ｃと、符号化部１０Ｅと、送信部１０Ｆとを具備している。
【００３０】
受信部１０Ａは、ＷｉＭＡＸ対応基地局ＢＳの上位局から受信した下りバーストを受信するように構成されている。
【００３１】
ＭＡＰ領域割り当て部１０Ｂは、受信部１０Ａにより受信された下りバーストに係る制御情報を算出し、ＭＡＰ領域における送信情報として、算出した制御情報を割り当てるように構成されている。
【００３２】
具体的には、図１に示すように、ＭＡＰ領域割り当て部１０Ｂは、「プリアンブル」や「ＦＣＨ（Ｆｒａｍｅ  Ｃｏｎｔｒｏｌ  Ｈｅａｄｅｒ）」や「ＤＬ-ＭＡＰ」や「ＵＬ-ＭＡＰ」を含む制御情報を、ＭＡＰ領域における送信情報として割り当てるように構成されている。
【００３３】
ここで、「ＤＬ-ＭＡＰ」は、下りバースト領域において下りバーストが割り当てられている位置を示す情報を含む「下りバーストの割り当て情報」であり、「ＵＬ-ＭＡＰ」は、上りバースト領域（図示せず）において上りバーストが割り当てられている位置を示す情報を含む「上りバーストの割り当て情報」である。
【００３４】
例えば、ＭＡＰ領域割り当て部１０Ｂは、図７に示す「Ｄｉｆｆｅｒｅｎｔ  ｂｕｒｓｔ  ｐｒｏｆｉｌｅｓ  ＩＥ（Ｉｎｆｏｒｍａｔｉｏｎ  Ｅｌｅｍｅｎｔ）」を含む「ＤＬ-ＭＡＰ」を生成して、ＭＡＰ領域における送信情報として割り当てるように構成されている。
【００３５】
図７の例では、「Ｄｉｆｆｅｒｅｎｔ  ｂｕｒｓｔ  ｐｒｏｆｉｌｅｓ  ＩＥ」に含まれるフィールドとして、「ＤＩＵＣ（Ｄｏｗｎｌｉｎｋ  Ｉｎｔｅｒｖａｌ  Ｕｓａｇｅ  Ｃｏｄｅ）」や、「ＣＩＤ（Ｃｏｎｅｃｔｉｏｎ  ＩＤ）」や、「ＯＦＤＭＡ  Ｓｙｍｂｏｌ  ｏｆｆｓｅｔ」や、「Ｓｕｂｃｈａｎｎｅｌ  ｏｆｆｓｅｔ」や、「Ｎｏ．ＯＦＤＭＡ  ｔｒｉｐｌｅ  ｓｙｍｂｏｌ」や、「Ｎｏ．Ｓｕｂｃｈａｎｎｅｌ」や、「Ｒｅｐｅｔｉｔｉｏｎ  Ｃｏｄｉｎｇ  Ｉｎｄｉｃａｔｉｏｎ」等が挙げられている。
【００３６】
「ＤＩＵＣ」は、当該下りバーストにおいて使用する変調クラスを示すフィールドであり、「ＣＩＤ」は、ＷｉＭＡＸ対応移動局ＳＳにおいて当該下りバーストが自分宛ての下りバーストであるか否かについて判断するために用いられるフィールドである。
【００３７】
また、「ＯＦＤＭＡ  Ｓｙｍｂｏｌ  ｏｆｆｓｅｔ」は、図８における「Ｘ１」に対応する当該下りバーストのフレーム先頭からのオフセット（シンボル方向）を示すフィールドであり、「Ｓｕｂｃｈａｎｎｅｌ  ｏｆｆｓｅｔ」は、図８における「Ｘ２」に対応する当該下りバーストのフレーム先頭からのオフセット（サブチャネル方向）を示すフィールドである。
【００３８】
また、「Ｎｏ．ＯＦＤＭＡ  ｔｒｉｐｌｅ  ｓｙｍｂｏｌ」は、当該下りバーストにおいて使用するシンボル数を示すフィールド（図８における「Ｘ３」に対応）であり、「Ｎｏ．Ｓｕｂｃｈａｎｎｅｌ」は、当該下りバーストにおいて使用するサブチャネル数を示すフィールド（図８における「Ｘ４」に対応）である。
【００３９】
また、「Ｒｅｐｅｔｉｔｉｏｎ  Ｃｏｄｉｎｇ  Ｉｎｄｉｃａｔｉｏｎ」は、当該下りバーストに格納するデータの繰り返し送信回数を示すフィールドである。
【００４０】
また、「ＦＣＨ」は、「ＤＬ-ＭＡＰ」の下りバーストのプロファイルを規定するものであり、「ＤＬＦＰ（Ｄｏｗｎ  Ｌｉｎｋ  Ｆｒａｍｅ  Ｐｒｅｆｉｘ）」を含むものである。
【００４１】
ＭＡＰ領域割り当て部１０Ｂは、上述のフレーム構造において、ＭＡＰ領域における送信情報を割り当てた後、送信情報が割り当てられていない領域である未使用領域を検出した場合、検出された未使用領域を利用して、ＭＡＰ領域における送信情報として、同一の下りバーストの割り当て情報を再度割り当てるように構成されている。
【００４２】
例えば、ＭＡＰ領域割り当て部１０Ｂは、図１に示すように、ＭＡＰ領域における送信情報（プリアンブル、ＦＣＨ、ＤＬ-ＭＡＰ及びＵＬ-ＭＡＰ）を割り当てた後に、ＭＡＰ領域において、送信情報が割り当てられていない領域である未使用領域Ａを検出し、図９に示すように、検出された未使用領域Ａにおける送信情報として、領域Ａ１において同一のＤＬ-ＭＡＰを再度割り当て、領域Ａ２において同一のＵＬ-ＭＡＰを再度割り当てるように構成されている。
【００４３】
すなわち、ＭＡＰ領域割り当て部１０Ｂは、ＭＡＰ領域Ａ０に、ＤＬ-ＭＡＰを挿入した後、更に、未使用領域Ａ１に、同一のＤＬ-ＭＡＰを繰り返し挿入するように構成されている。
【００４４】
ここで、ＭＡＰ領域割り当て部１０Ｂは、ＭＡＰ領域における送信情報に対して、サブキャリアとタイムスロットからなる無線チャネルを割り当てるように構成されている。
【００４５】
なお、ＭＡＰ領域割り当て部１０Ｂは、ＭＡＰ領域における送信情報に対して、ＰＵＳＣ（Ｐａｒｔｉａｌｌｙ  Ｕｓｅｄ  ＳｕｂＣｈａｎｎｅｌｉｚａｔｉｏｎ）方式のサブキャリア割り当て方法（Ｐｅｒｍｕｔａｔｉｏｎ）を用いるように構成されている。
【００４６】
また、図１の例では、ＭＡＰ領域割り当て部１０Ｂは、ＭＡＰ領域において、プリアンブルが挿入される領域は、１シンボル単位のタイムスロットによって構成されており、ＦＣＨ、ＤＬ-ＭＡＰやＵＬ-ＭＡＰが挿入される領域は、２シンボル単位のタイムスロットによって構成されている。
【００４７】
また、ＭＡＰ領域割り当て部１０Ｂは、上述の割り当て結果に基づいて、ＤＬＦＰを作成するように構成されている。
【００４８】
なお、ＭＡＰ領域割り当て部１０Ｂは、従来のＤＬＦＰに含まれているフィールドに加えて、図１０に示すように、「Ｅｘｔｅｎｄｅｄ＿Ｒｅｐｅｔｉｔｉｏｎ＿Ｃｏｄｉｎｇ＿Ｉｎｄｉｃａｔｉｏｎ」フィールドを作成するように構成されている。
【００４９】
「Ｅｘｔｅｎｄｅｄ＿Ｒｅｐｅｔｉｔｉｏｎ＿Ｃｏｄｉｎｇ＿Ｉｎｄｉｃａｔｉｏｎ」フィールドは、「ｂ０」として設定されている場合、本発明に係る「未使用領域に対して同一のＤＬ-ＭＡＰが繰り返し挿入される処理」が行われていないことを示し、「ｂ１」として設定されている場合、本発明に係る「未使用領域に対して同一のＤＬ-ＭＡＰが繰り返し挿入される処理」が行われていることを示す。
【００５０】
なお、従来のＤＬＦＰに含まれているフィールドとしては、図１０に示すように、「Ｕｓｅｄ  Ｓｕｂｃｈａｎｎｅｌ  ｂｉｔｍａｐ」や、「Ｒｅｐｅｔｉｔｉｏｎ＿Ｃｏｄｉｎｇ＿Ｉｎｄｉｃａｔｉｏｎ」や、「Ｃｏｄｉｎｇ＿Ｉｎｄｉｃａｔｉｏｎ」や、「ＤＬ-ＭＡＰ＿Ｌｅｎｇｔｈ」等が想定される。
【００５１】
下りバースト領域割り当て部１０Ｃは、上述の制御情報に従って、受信部１０Ａにより受信された下りバーストを、下りバースト領域における送信情報として割り当てるように構成されている。
【００５２】
ここで、下りバースト領域割り当て部１０Ｃは、下りバースト領域における送信情報に対して、サブキャリアとタイムスロットからなる無線チャネルを割り当てるように構成されている。
【００５３】
なお、図１の例では、下りバースト領域割り当て部１０Ｃは、下りバースト領域における送信情報に対して、ＡＭＣ方式のサブキャリア割り当て方法を用いるように構成されているが、下りバースト領域における送信情報に対して、ＰＵＳＣ方式のサブキャリア割り当て方法を用いるように構成されていてもよい。
【００５４】
ただし、同一のシンボル列の途中で、ＡＭＣ方式とＰＵＳＣ方式との間で、サブキャリア割り当て方法を切り替えることはできない。
【００５５】
また、下りバースト領域割り当て部１０Ｃは、ＡＭＣ方式のサブキャリア割り当て方法において、２、３又は６シンボル単位のタイムスロットを用いるように構成されている。
【００５６】
符号化部１０Ｅは、ＭＡＰ領域割り当て部１０Ｂ及び下りバースト領域割り当て部１０Ｃによる割り当て結果を用いて、上述の送信情報について符号化処理を行うように構成されている。
【００５７】
送信部１０Ｆは、符号化部１０Ｅによって符号化処理が施された送信情報を送信するように構成されている。
【００５８】
具体的には、送信部１０Ｆは、無指向性ビームで、ＭＡＰ領域における送信情報であるＤＬ-ＭＡＰ（下りバーストの割り当て情報）を送信するように構成されており、無指向性ビーム又は指向性ビームで、下りバースト領域における送信情報である下りバーストを送信するように構成されている。
【００５９】
ＷｉＭＡＸ対応移動局ＳＳは、ＷｉＭＡＸにて規定されているプロトコルに対応可能な移動局であって、ＷｉＭＡＸ対応基地局ＢＳから、ＭＡＰ領域（第１の領域）及び下りバースト領域（第２の領域）からなるフレーム構造を用いて下りバーストを受信するように構成されている。
【００６０】
図１１に示すように、ＷｉＭＡＸ対応移動局ＳＳは、ハードウエア構成として、制御部２０と、表示部２１と、操作部２２と、記憶部２３と、無線通信部２４とを具備している。
【００６１】
表示部２１は、液晶ディスプレイ等によって構成されており、操作部２２は、キー入力ボタン等によって構成されており、記憶部２３は、フラッシュメモリ等によって構成されている。
【００６２】
また、無線通信部２４は、送受信アンテナ２５を介して、ＷｉＭＡＸ対応基地局ＢＳとの間で無線通信を行うように構成されている。
【００６３】
制御部２０は、ＣＰＵ等によって構成されており、各部２１乃至２４を制御するように構成されている。
【００６４】
図１２に示すように、制御部２０は、ソフトウエア構成として、受信部２０Ａと、ＭＡＰ領域解析部２０Ｃと、復号部２０Ｄとを具備している。
【００６５】
受信部２０Ａは、ＭＡＰ領域（第１の領域）における送信情報として、無指向性ビームで送信されたＤＬ-ＭＡＰ（下りバーストの割り当て情報）及びＦＣＨ（ＤＬＦＰ）を受信し、下りバースト領域（第２の領域）における送信情報として、無指向性ビーム又は指向性ビームで送信された下りバーストを受信するように構成されている。
【００６６】
ＭＡＰ領域解析部２０Ｃは、受信部２０Ａによって取得されたＤＬＦＰに基づいて、ＭＡＰ領域において、１つ又は複数のＤＬ-ＭＡＰが割り当てられている位置を検出するように構成されている。
【００６７】
具体的には、ＭＡＰ領域解析部２０Ｃは、かかるＤＬＦＰ内の「Ｅｘｔｅｎｄｅｄ＿Ｒｅｐｅｔｉｔｉｏｎ＿Ｃｏｄｉｎｇ＿Ｉｎｄｉｃａｔｉｏｎ」フィールドに「ｂ０」又は「ｂ１」のどちらが設定されているのかについて判定するように構成されている。
【００６８】
そして、ＭＡＰ領域解析部２０Ｃは、「ｂ１」が設定されていると判定した場合には、本発明に係る「未使用領域に対して同一のＤＬ-ＭＡＰが繰り返し挿入される処理」が行われていると判断して、ＭＡＰ領域において複数のＤＬ-ＭＡＰが割り当てられている位置を検出する、すなわち、図９の例では、ＭＡＰ領域における領域Ａ０だけでなく、ＭＡＰ領域における未使用領域Ａ１においても、ＤＬ-ＭＡＰが繰り返し挿入されていると判断する。
【００６９】
一方、ＭＡＰ領域解析部２０Ｃは、「ｂ０」が設定されていると判定した場合には、本発明に係る「未使用領域に対して同一のＤＬ-ＭＡＰが繰り返し挿入される処理」が行われていないと判断して、ＭＡＰ領域において１つのＤＬ-ＭＡＰが割り当てられている位置を検出する、すなわち、図９の例では、ＭＡＰ領域における領域Ａ０においてのみＤＬ-ＭＡＰが挿入されている（ＭＡＰ領域における未使用領域Ａ１にはＤＬ-ＭＡＰが繰り返し挿入されていない）と判断する。
【００７０】
復号部２０Ｅは、ＭＡＰ領域解析部２０Ｃにより検出された位置に割り当てられている１つ又は複数のＤＬ-ＭＡＰに基づいて、該下りバーストについて復号するように構成されている。
【００７１】
具体的には、復号部２０Ｅは、ＭＡＰ領域解析部２０Ｃにより検出された位置に割り当てられている１つ又は複数のＤＬ-ＭＡＰに従って、下りバースト領域において下りバーストが割り当てられている位置を検出し、検出された位置に割り当てられている下りバーストに対して、所定の復号処理を行うように構成されている。
（本発明の第１の実施形態に係る移動通信システムの動作）
図１３及び図１４を参照して、本発明の第１の実施形態に係る移動通信システムの動作について説明する。
【００７２】
第１に、図１３を参照して、本実施形態に係るＷｉＭＡＸ対応基地局ＢＳの動作について説明する。
【００７３】
図１３に示すように、ステップＳ１０１において、ＭＡＰ領域割り当て部１０Ｂが、受信部１０Ａにより受信された下りバーストに係る制御情報（プリアンブルやＦＣＨやＤＬ-ＭＡＰやＵＬ-ＭＡＰ等）、具体的には、ＭＡＰ領域のサイズ及びＭＡＰ領域を構成するシンボル列を算出する。
【００７４】
次に、ＭＡＰ領域割り当て部１０Ｂが、ＭＡＰ領域における送信情報として、算出した制御情報を割り当てる。
【００７５】
そして、ＭＡＰ領域割り当て部１０Ｂが、ＭＡＰ領域における送信情報として上述の制御情報を割り当てた後、ＭＡＰ領域において未使用領域を検出し、検出した未使用領域に、上述のＤＬ-ＭＡＰと同一のＤＬ-ＭＡＰを再度割り当てる。
【００７６】
すなわち、ＭＡＰ領域割り当て部１０Ｂは、ＭＡＰ領域において未使用領域が生じないように、ＭＡＰ領域においてＤＬ-ＭＡＰ（及び、ＵＬ-ＭＡＰ）を繰り返し挿入する。
【００７７】
ステップＳ１０２おいて、ＭＡＰ領域割り当て部１０Ｂが、叙述の割り当て結果に基づいて、従来と同様のＤＬＦＰに加えて、「Ｅｘｔｅｎｄｅｄ＿Ｒｅｐｅｔｉｔｉｏｎ＿Ｃｏｄｉｎｇ＿Ｉｎｄｉｃａｔｉｏｎ」フィールドを生成し、かかるフィールドに「ｂ１」を設定する。
【００７８】
ステップＳ１０３において、下りバースト領域割り当て部１０Ｃが、ＭＡＰ領域割り当て部１０Ｂによる割り当て結果を参照して、下りバースト領域における送信情報として、複数のＷｉＭＡＸ対応移動局ＳＳ宛ての下りバーストを割り当て、符号化部１０Ｅが、ＭＡＰ領域割り当て部１０Ｂ及び下りバースト領域割り当て部１０Ｃによる割り当て結果を用いて、上述の送信情報について符号化処理を行う。
【００７９】
その後、送信部１０Ｆが、無指向性ビームで、ＭＡＰ領域における送信情報（ＤＬ-ＭＡＰを含む）を送信し、無指向性ビーム又は指向性ビームで、下りバースト領域における送信情報（下りバーストを含む）を送信する。
【００８０】
第２に、図１４を参照して、本実施形態に係るＷｉＭＡＸ対応移動局ＳＳの動作について説明する。
【００８１】
図１４に示すように、ステップＳ２０１において、ＭＡＰ領域解析部２０Ｃが、受信部２０Ａによって取得された送信情報の中から、下りバーストに係る制御情報（プリアンブルやＦＣＨ（ＤＬＦＰ）やＤＬ-ＭＡＰやＵＬ-ＭＡＰ等）、すなわち、ＭＡＰ領域のサイズ及びＭＡＰ領域を構成するシンボル列に関する情報を取得する。
【００８２】
ステップＳ２０２において、ＭＡＰ領域解析部２０Ｃが、ＤＬＦＰ内の「Ｅｘｔｅｎｄｅｄ＿Ｒｅｐｅｔｉｔｉｏｎ＿Ｃｏｄｉｎｇ＿Ｉｎｄｉｃａｔｉｏｎ」フィールドに「ｂ０」又は「ｂ１」のどちらが設定されているのかについて判定する。
【００８３】
「Ｅｘｔｅｎｄｅｄ＿Ｒｅｐｅｔｉｔｉｏｎ＿Ｃｏｄｉｎｇ＿Ｉｎｄｉｃａｔｉｏｎ」フィールドに「ｂ１」が設定されていると判定された場合には、ステップＳ２０３において、ＭＡＰ領域解析部２０Ｃは、「未使用領域に対して同一のＤＬ-ＭＡＰが繰り返し挿入される処理」が行われていると判断して、復号部２０Ｄは、ＭＡＰ領域を構成するシンボル列の最後まで（図１における未使用領域Ａまで）復号を行うことによって、未使用領域に対して繰り返し挿入されているＤＬ-ＭＡＰについても復元することができる。
【００８４】
一方、「Ｅｘｔｅｎｄｅｄ＿Ｒｅｐｅｔｉｔｉｏｎ＿Ｃｏｄｉｎｇ＿Ｉｎｄｉｃａｔｉｏｎ」フィールドに「ｂ０」が設定されていると判定された場合には、ステップＳ２０４において、ＭＡＰ領域解析部２０Ｃは、「未使用領域に対して同一のＤＬ-ＭＡＰが繰り返し挿入される処理」が行われていないと判断して、復号部２０Ｄは、上述のＭＡＰ領域のサイズに応じて（図１における未使用領域Ａの直前まで）復号し、ＭＡＰ領域を構成するシンボル列の最後まで復号を行わない。
【００８５】
ここで、具体的には、ＭＡＰ領域解析部２０Ｃは、以下のような手順によって、ＭＡＰ領域における未使用領域を検出する。
【００８６】
第１に、ＭＡＰ領域解析部２０Ｃは、ＤＬＦＰを参照して、（ＤＬ-ＭＡＰのスロット数（「ＤＬ-ＭＡＰ＿Ｌｅｎｇｔｈ」））×（ＤＬ-ＭＡＰの繰り返し送信回数（「Ｒｅｐｅｔｉｔｉｏｎ＿Ｃｏｄｉｎｇ＿Ｉｎｄｉｃａｔｉｏｎ」））×（スロットサイズ（既知））によって、ＤＬ-ＭＡＰサイズを算出する。
【００８７】
第２に、ＭＡＰ領域解析部２０Ｃは、ＤＬ-ＭＡＰに含まれている「Ｄｉｆｆｅｒｅｎｔ  ｂｕｒｓｔ  ｐｒｏｆｉｌｅｓ  ＩＥ」を参照して、（使用シンボル数（「Ｎｏ．ＯＦＤＭＡ  ｔｒｉｐｌｅ  ｓｙｍｂｏｌ」））×（使用サブチャネル数（「Ｎｏ．Ｓｕｂｃｈａｎｎｅｌ」））×（バーストに格納するデータの繰り返し送信回数（「Ｒｅｐｅｔｉｔｉｏｎ  Ｃｏｄｉｎｇ  Ｉｎｄｉｃａｔｉｏｎ」））×（シンボルサイズ（既知））によって、ＵＬ-ＭＡＰサイズを算出する。
【００８８】
第３に、ＭＡＰ領域解析部２０Ｃは、（ＭＡＰ領域サイズ（既知））―（ＤＬ-ＭＡＰサイズ）−（ＵＬ-ＭＡＰサイズ）によって、未使用領域サイズを算出し、その結果、ＭＡＰ領域の最後から当該未使用領域サイズに該当する部分を、未使用領域として検出する。
【００８９】
その後、復号部２０Ｄが、上述の解析結果（ＤＬ-ＭＡＰ）に基づいて、下りバーストを復号する。
（本発明の第１の実施形態に係る移動通信システムの作用・効果）
本実施形態に係る移動通信システムによれば、ＭＡＰ領域割り当て部１０Ｂが、ＭＡＰ領域において未使用領域Ａを検出した場合、検出した未使用領域Ａにも、ＤＬ-ＭＡＰを繰り返して割り当てるように構成されているため、フレーム構造内におけるＤＬ-ＭＡＰの占める割合を大幅に増やすことなく、ＤＬ-ＭＡＰの受信確率を高めることができる。
（本発明の第２の実施形態）
図１５乃至図１８を参照して、本発明の第２の実施形態について説明する。以下、本発明の第２の実施形態について、上述の第１の実施形態との相違点について主として説明する。
【００９０】
本実施形態に係るＷｉＭＡＸ対応基地局ＢＳのＭＡＰ領域割り当て部１０Ｂは、図２に示すように、ＭＡＰ領域における送信情報（プリアンブル、ＦＣＨ、ＤＬ-ＭＡＰ及びＵＬ-ＭＡＰ）を割り当てた後に、ＭＡＰ領域において、送信情報が割り当てられていない領域である未使用領域Ｂを検出すると共に、下りバースト領域における送信情報（複数のＷｉＭＡＸ対応移動局ＳＳ宛ての下りバースト）を割り当てた後に、下りバースト領域において、送信情報が割り当てられていない領域である未使用領域Ｃを検出するように構成されている。
【００９１】
かかる場合、図１５に示すように、ＭＡＰ領域割り当て部１０Ｂは、下りバースト領域において検出された未使用領域Ｃ分だけ、下りバースト領域を縮小すると共に、ＭＡＰ領域を拡大し、拡大されたＭＡＰ領域Ｄにおける送信情報として、領域Ｄ１及びＤ３において同一の下りバーストの割り当て情報を再度割り当てるように構成されている。
【００９２】
また、ＭＡＰ領域割り当て部１０Ｂは、図１５に示すように、ＭＡＰ領域において検出された未使用領域Ｂにおける送信情報として、同一のＤＬ-ＭＡＰを再度割り当て、ＭＡＰ領域において検出された未使用領域Ｂにおける送信情報として、同一のＵＬ-ＭＡＰを再度割り当てるように構成されている。
【００９３】
また、本実施形態に係るＷｉＭＡＸ対応基地局ＢＳのＭＡＰ領域割り当て部１０Ｂは、従来のＤＬＦＰに含まれているフィールドに加えて、図１６に示すように、「Ｅｘｔｅｎｄｅｄ＿Ｒｅｐｅｔｉｔｉｏｎ＿Ｃｏｄｉｎｇ＿Ｉｎｄｉｃａｔｉｏｎ」フィールド及び「Ｅｘｔｅｎｄｅｄ＿Ｒｅｐｅｔｉｔｉｏｎ＿Ｓｙｍｂｏｌ＿ｎｕｍｂｅｒ」フィールドを作成するように構成されている。
【００９４】
「Ｅｘｔｅｎｄｅｄ＿Ｒｅｐｅｔｉｔｉｏｎ＿Ｃｏｄｉｎｇ＿Ｉｎｄｉｃａｔｉｏｎ」フィールドは、上述の第１の実施形態における「Ｅｘｔｅｎｄｅｄ＿Ｒｅｐｅｔｉｔｉｏｎ＿Ｃｏｄｉｎｇ＿Ｉｎｄｉｃａｔｉｏｎ」フィールドと同一である。
【００９５】
「Ｅｘｔｅｎｄｅｄ＿Ｒｅｐｅｔｉｔｉｏｎ＿Ｓｙｍｂｏｌ＿ｎｕｍｂｅｒ」フィールドは、下りバースト領域における未使用領域のうち、何シンボル列相当の未使用領域の分だけ、下りバースト領域を縮小すると共に、ＭＡＰ領域を拡大するのかについて示す。
【００９６】
「Ｅｘｔｅｎｄｅｄ＿Ｒｅｐｅｔｉｔｉｏｎ＿Ｓｙｍｂｏｌ＿ｎｕｍｂｅｒ」フィールドは、「ｂ０００」として設定されている場合、下りバースト領域における未使用領域に対して同一のＤＬ-ＭＡＰが繰り返し挿入されないこと（すなわち、ＭＡＰ領域における未使用領域に対してのみ同一のＤＬ-ＭＡＰが繰り返し挿入されること）を示す。
【００９７】
また、「Ｅｘｔｅｎｄｅｄ＿Ｒｅｐｅｔｉｔｉｏｎ＿Ｓｙｍｂｏｌ＿ｎｕｍｂｅｒ」フィールドは、「ｂ００１」として設定されている場合、下りバースト領域における未使用領域のうち、２シンボル列相当の未使用領域の分だけ、下りバースト領域を縮小すると共にＭＡＰ領域を拡大し、ＭＡＰ領域における未使用領域に対してだけでなく、２シンボル列相当分だけ拡大されたＭＡＰ領域に対しても同一のＤＬ-ＭＡＰが繰り返し挿入されることを示す。
【００９８】
「Ｅｘｔｅｎｄｅｄ＿Ｒｅｐｅｔｉｔｉｏｎ＿Ｓｙｍｂｏｌ＿ｎｕｍｂｅｒ」フィールドは、「ｂ０１０」又は「ｂ０１１」として設定されている場合、下りバースト領域における未使用領域のうち、４又は６シンボル列相当の未使用領域の分だけ、下りバースト領域を縮小すると共にＭＡＰ領域を拡大し、ＭＡＰ領域における未使用領域に対してだけでなく、４又は６シンボル列相当分だけ拡大されたＭＡＰ領域に対しても同一のＤＬ-ＭＡＰが繰り返し挿入されることを示す。
【００９９】
本実施形態に係るＷｉＭＡＸ対応移動局ＳＳのＭＡＰ領域解析部２０Ｃは、受信部２０Ａによって取得されたＤＬＦＰ内の「Ｅｘｔｅｎｄｅｄ＿Ｒｅｐｅｔｉｔｉｏｎ＿Ｓｙｍｂｏｌ＿ｎｕｍｂｅｒ」フィールドの設定値に基づいて、ＭＡＰ領域において複数のＤＬ-ＭＡＰが割り当てられている位置を検出する。
【０１００】
次に、図１７及び図１８を参照して、本実施形態に係る移動通信システムの動作について説明する。
【０１０１】
第１に、図１７を参照して、本実施形態に係るＷｉＭＡＸ対応基地局ＢＳの動作について説明する。
【０１０２】
図１７に示すように、ステップＳ３０１において、ＭＡＰ領域割り当て部１０Ｂが、受信部１０Ａにより受信された下りバーストに係る制御情報（プリアンブルやＦＣＨ（ＤＬＦＰ）やＤＬ-ＭＡＰやＵＬ-ＭＡＰ等）、具体的には、ＭＡＰ領域のサイズ及びＭＡＰ領域を構成するシンボル列を算出する。
【０１０３】
次に、ＭＡＰ領域割り当て部１０Ｂが、ＭＡＰ領域における送信情報として、算出した制御情報を割り当て、下りバースト領域割り当て部１０Ｃは、ＭＡＰ領域割り当て部１０Ｂによる割り当て結果を参照して、下りバースト領域における送信情報として、複数のＷｉＭＡＸ対応移動局ＳＳ宛ての下りバーストを割り当てる。
【０１０４】
そして、ＭＡＰ領域割り当て部１０Ｂが、ＭＡＰ領域における送信情報として上述の制御情報を割り当てた後、ＭＡＰ領域において未使用領域を検出し、検出した未使用領域に、上述のＤＬ-ＭＡＰと同一のＤＬ-ＭＡＰを再度割り当てる。
【０１０５】
すなわち、ＭＡＰ領域割り当て部１０Ｂは、ＭＡＰ領域において未使用領域が生じないように、ＭＡＰ領域においてＤＬ-ＭＡＰ（及び、ＵＬ-ＭＡＰ）を繰り返し挿入する。
【０１０６】
ステップＳ３０２において、ＭＡＰ領域割り当て部１０Ｂが、従来と同様のＤＬＦＰに加えて、「Ｅｘｔｅｎｄｅｄ＿Ｒｅｐｅｔｉｔｉｏｎ＿Ｃｏｄｉｎｇ＿Ｉｎｄｉｃａｔｉｏｎ」フィールドを生成し、かかるフィールドに「ｂ１」を設定する。
【０１０７】
ステップＳ３０３において、ＭＡＰ領域割り当て部１０Ｂが、下りバースト領域における未使用領域のシンボル列を計算する。
【０１０８】
未使用領域のシンボル列が２以上である場合、本動作は、ステップＳ３０５に進み、未使用領域のシンボル列が２以上でない場合、本動作は、ステップＳ３０７に進む。
【０１０９】
ステップＳ３０５において、ＭＡＰ領域割り当て部１０Ｂが、下りバースト領域における未使用領域のシンボル列に応じて、「Ｅｘｔｅｎｄｅｄ＿Ｒｅｐｅｔｉｔｉｏｎ＿Ｓｙｍｂｏｌ＿ｎｕｍｂｅｒ」フィールドを設定する。
【０１１０】
例えば、ＭＡＰ領域割り当て部１０Ｂは、下りバースト領域における未使用領域のシンボル列が２である場合、「Ｅｘｔｅｎｄｅｄ＿Ｒｅｐｅｔｉｔｉｏｎ＿Ｓｙｍｂｏｌ＿ｎｕｍｂｅｒ」フィールドに「０ｂ０１」を設定する。
【０１１１】
ステップＳ３０６において、ＭＡＰ領域割り当て部１０Ｂが、下りバースト領域における未使用領域のシンボル列の分だけ、下りバースト領域のシンボル列を縮小すると共に、ＭＡＰ領域のシンボル列を拡大し、拡大されたＭＡＰ領域における送信情報として、同一の下りバーストの割り当て情報を再度割り当てる。
【０１１２】
ステップＳ３０７において、符号化部１０Ｅが、ＭＡＰ領域割り当て部１０Ｂ及び下りバースト領域割り当て部１０Ｃによる割り当て結果を用いて、上述の送信情報について符号化処理を行う。
【０１１３】
その後、送信部１０Ｆが、無指向性ビームで、ＭＡＰ領域における送信情報（ＤＬ-ＭＡＰを含む）を送信し、無指向性ビーム又は指向性ビームで、下りバースト領域における送信情報（下りバーストを含む）を送信する。
【０１１４】
第２に、図１８を参照して、本実施形態に係るＷｉＭＡＸ対応移動局ＳＳの動作について説明する。
【０１１５】
図１８に示すように、ステップＳ４０１において、ＭＡＰ領域解析部２０Ｃが、受信部２０Ａによって受信された送信情報の中から、下りバーストに係る制御情報（プリアンブルやＦＣＨ（ＤＬＦＰ）やＤＬ-ＭＡＰやＵＬ-ＭＡＰ等）を取得する。
【０１１６】
ステップＳ４０２において、ＭＡＰ領域解析部２０Ｃが、ＤＬＦＰ内の「Ｅｘｔｅｎｄｅｄ＿Ｒｅｐｅｔｉｔｉｏｎ＿Ｃｏｄｉｎｇ＿Ｉｎｄｉｃａｔｉｏｎ」フィールドに「ｂ０」又は「ｂ１」のどちらが設定されているのかについて判定する。
【０１１７】
「Ｅｘｔｅｎｄｅｄ＿Ｒｅｐｅｔｉｔｉｏｎ＿Ｃｏｄｉｎｇ＿Ｉｎｄｉｃａｔｉｏｎ」フィールドに「ｂ１」が設定されていると判定された場合、本動作は、ステップＳ４０３に進み、「Ｅｘｔｅｎｄｅｄ＿Ｒｅｐｅｔｉｔｉｏｎ＿Ｃｏｄｉｎｇ＿Ｉｎｄｉｃａｔｉｏｎ」フィールドに「ｂ０」が設定されていると判定された場合、本動作は、ステップＳ４０６に進む。
【０１１８】
ステップＳ４０３において、ＭＡＰ領域解析部２０Ｃは、ＤＬＦＰ内の「Ｅｘｔｅｎｄｅｄ＿Ｒｅｐｅｔｉｔｉｏｎ＿Ｓｙｍｂｏｌ＿ｎｕｍｂｅｒ」フィールドの設定値に基づいて、ＤＬ-ＭＡＰの挿入に使用されている下りバースト領域における未使用領域のシンボル列についての情報を取得する。
【０１１９】
ステップＳ４０４において、ＭＡＰ領域解析部２０Ｃは、ＭＡＰ領域を、従来のＤＬＦＰによって示されているＭＡＰ領域のシンボル列から、「Ｅｘｔｅｎｄｅｄ＿Ｒｅｐｅｔｉｔｉｏｎ＿Ｓｙｍｂｏｌ＿ｎｕｍｂｅｒ」フィールドの設定値相当のシンボル列分だけ拡大したものとする。
【０１２０】
ステップＳ４０５において、復号部２０Ｄは、ステップＳ４０４において拡大されたＭＡＰ領域（又は、拡大されていないＭＡＰ領域）を構成するシンボル列の最後まで（図１５における未使用領域Ｄ３まで）復号を行うことによって、未使用領域に対して繰り返し挿入されているＤＬ-ＭＡＰについても復元することができる。
【０１２１】
一方、ステップＳ４０６において、復号部２０Ｄは、上述のＭＡＰ領域のサイズに応じて（図２における未使用領域Ｂの直前まで）復号し、ＭＡＰ領域を構成するシンボル列の最後まで復号を行わない。
（本発明の第３の実施形態）
図１９乃至図２２を参照して、本発明の第３の実施形態について説明する。以下、本発明の第３の実施形態について、上述の第１の実施形態及び第２の実施形態との相違点について主として説明する。
【０１２２】
本実施形態に係るＷｉＭＡＸ対応基地局ＢＳのＭＡＰ領域割り当て部１０Ｂは、図３に示すように、ＭＡＰ領域における送信情報（プリアンブル、ＦＣＨ、ＤＬ-ＭＡＰ及びＵＬ-ＭＡＰ）を割り当てた後に、ＭＡＰ領域において、送信情報が割り当てられていない領域である未使用領域Ｂを検出すると共に、下りバースト領域における送信情報（複数のＷｉＭＡＸ対応移動局ＳＳ宛ての下りバースト）を割り当てた後に、下りバースト領域において、送信情報が割り当てられていない領域である未使用領域Ｅを検出するように構成されている。
【０１２３】
ここで、かかる未使用領域Ｅを含む下りバースト領域のシンボル列に対しては、ＰＵＳＣ方式のサブキャリア割り当て方法が用いられているものとする。
【０１２４】
かかる場合、図１９に示すように、ＭＡＰ領域割り当て部１０Ｂは、下りバースト領域において検出された未使用領域Ｅ分だけ、下りバースト領域を縮小すると共に、ＭＡＰ領域を拡大し、拡大されたＭＡＰ領域Ｆにおける送信情報として、同一の下りバーストの割り当て情報を再度割り当てるように構成されている。
【０１２５】
また、ＭＡＰ領域割り当て部１０Ｂは、図１９に示すように、ＭＡＰ領域において検出された未使用領域Ｂにおける送信情報として、同一のＤＬ-ＭＡＰを再度割り当て、ＭＡＰ領域において検出された未使用領域Ｂにおける送信情報として、同一のＵＬ-ＭＡＰを再度割り当てるように構成されている。
【０１２６】
また、本実施形態に係るＷｉＭＡＸ対応基地局ＢＳのＭＡＰ領域割り当て部１０Ｂは、従来のＤＬＦＰに含まれているフィールドに加えて、図２０に示すように、「Ｅｘｔｅｎｄｅｄ＿Ｒｅｐｅｔｉｔｉｏｎ＿Ｃｏｄｉｎｇ＿Ｉｎｄｉｃａｔｉｏｎ」フィールド及び「Ｅｘｔｅｎｄｅｄ＿Ｒｅｐｅｔｉｔｉｏｎ＿Ｓｉｚｅ」フィールドを作成するように構成されている。
【０１２７】
「Ｅｘｔｅｎｄｅｄ＿Ｒｅｐｅｔｉｔｉｏｎ＿Ｃｏｄｉｎｇ＿Ｉｎｄｉｃａｔｉｏｎ」フィールドは、上述の第１の実施形態における「Ｅｘｔｅｎｄｅｄ＿Ｒｅｐｅｔｉｔｉｏｎ＿Ｃｏｄｉｎｇ＿Ｉｎｄｉｃａｔｉｏｎ」フィールドと同一である。
【０１２８】
「Ｅｘｔｅｎｄｅｄ＿Ｒｅｐｅｔｉｔｉｏｎ＿Ｓｉｚｅ」フィールドは、ＰＵＳＣ方式が適用されている下りバースト領域における未使用領域のうち、ＤＬ-ＭＡＰの繰り返しの挿入に用いられる未使用領域のサイズについて示す。
【０１２９】
なお、かかる未使用領域は、ＰＵＳＣ方式が適用されている下りバースト領域の最後尾に存在しているものとする。
【０１３０】
本実施形態に係るＷｉＭＡＸ対応移動局ＳＳのＭＡＰ領域解析部２０Ｃは、受信部２０Ａによって取得されたＤＬＦＰ内の「Ｅｘｔｅｎｄｅｄ＿Ｒｅｐｅｔｉｔｉｏｎ＿Ｓｉｚｅ」フィールドの設定値に基づいて、ＭＡＰ領域において複数のＤＬ-ＭＡＰが割り当てられている位置を検出する。
【０１３１】
次に、図２１及び図２２を参照して、本実施形態に係る移動通信システムの動作について説明する。
【０１３２】
第１に、図２１を参照して、本実施形態に係るＷｉＭＡＸ対応基地局ＢＳの動作について説明する。
【０１３３】
図２１に示すように、ステップＳ５０１において、ＭＡＰ領域割り当て部１０Ｂが、受信部１０Ａにより受信された下りバーストに係る制御情報、具体的には、ＭＡＰ領域のサイズを算出する。
【０１３４】
次に、ＭＡＰ領域割り当て部１０Ｂが、ＭＡＰ領域における送信情報として、算出した制御情報を割り当て、下りバースト領域割り当て部１０Ｃは、ＭＡＰ領域割り当て部１０Ｂによる割り当て結果を参照して、下りバースト領域における送信情報として、複数のＷｉＭＡＸ対応移動局ＳＳ宛ての下りバーストを割り当てる。
【０１３５】
そして、ＭＡＰ領域割り当て部１０Ｂが、ＭＡＰ領域における送信情報として上述の制御情報を割り当てた後、ＭＡＰ領域において未使用領域を検出し、検出した未使用領域に、上述のＤＬ-ＭＡＰと同一のＤＬ-ＭＡＰを再度割り当てる。
【０１３６】
すなわち、ＭＡＰ領域割り当て部１０Ｂは、ＭＡＰ領域において未使用領域が生じないように、ＭＡＰ領域においてＤＬ-ＭＡＰ（及び、ＵＬ-ＭＡＰ）を繰り返し挿入する。
【０１３７】
ステップＳ５０２において、ＭＡＰ領域割り当て部１０Ｂが、従来と同様のＤＬＦＰに加えて、「Ｅｘｔｅｎｄｅｄ＿Ｒｅｐｅｔｉｔｉｏｎ＿Ｃｏｄｉｎｇ＿Ｉｎｄｉｃａｔｉｏｎ」フィールドを生成し、かかるフィールドに「ｂ１」を設定する。
【０１３８】
ステップＳ５０３において、ＭＡＰ領域割り当て部１０Ｂが、ＰＵＳＣ方式が適用されている下りバースト領域における未使用領域のサイズ（最後尾からのサイズ）を計算し、かかる下りバースト領域における未使用領域のサイズに応じて、「Ｅｘｔｅｎｄｅｄ＿Ｒｅｐｅｔｉｔｉｏｎ＿Ｓｉｚｅ」フィールドを設定する。
【０１３９】
例えば、ＭＡＰ領域割り当て部１０Ｂは、下りバースト領域における未使用領域のサイズが２サブチャネルである場合、「Ｅｘｔｅｎｄｅｄ＿Ｒｅｐｅｔｉｔｉｏｎ＿Ｓｉｚｅ」フィールドに「２」を設定する。
【０１４０】
ステップＳ５０４において、ＭＡＰ領域割り当て部１０Ｂが、下りバースト領域における未使用領域のサイズの分だけ、ＰＵＳＣ方式が適用されている下りバースト領域のサイズを縮小すると共に、ＭＡＰ領域のサイズを拡大し、拡大されたＭＡＰ領域における送信情報として、同一の下りバーストの割り当て情報を再度割り当てる。
【０１４１】
ステップＳ５０５において、符号化部１０Ｅが、ＭＡＰ領域割り当て部１０Ｂ及び下りバースト領域割り当て部１０Ｃによる割り当て結果を用いて、上述の送信情報について符号化処理を行う。
【０１４２】
その後、送信部１０Ｆが、無指向性ビームで、ＭＡＰ領域における送信情報（ＤＬ-ＭＡＰを含む）を送信し、無指向性ビーム又は指向性ビームで、下りバースト領域における送信情報（下りバーストを含む）を送信する。
【０１４３】
第２に、図２２を参照して、本実施形態に係るＷｉＭＡＸ対応移動局ＳＳの動作について説明する。
【０１４４】
図２２に示すように、ステップＳ６０１において、ＭＡＰ領域解析部２０Ｃが、受信部２０Ａによって受信された送信情報の中から、下りバーストに係る制御情報を取得する。
【０１４５】
ステップＳ６０２において、ＭＡＰ領域解析部２０Ｃが、ＤＬＦＰ内の「Ｅｘｔｅｎｄｅｄ＿Ｒｅｐｅｔｉｔｉｏｎ＿Ｃｏｄｉｎｇ＿Ｉｎｄｉｃａｔｉｏｎ」フィールドに「ｂ０」又は「ｂ１」のどちらが設定されているのかについて判定する。
【０１４６】
「Ｅｘｔｅｎｄｅｄ＿Ｒｅｐｅｔｉｔｉｏｎ＿Ｃｏｄｉｎｇ＿Ｉｎｄｉｃａｔｉｏｎ」フィールドに「ｂ１」が設定されていると判定された場合、本動作は、ステップＳ６０３に進み、「Ｅｘｔｅｎｄｅｄ＿Ｒｅｐｅｔｉｔｉｏｎ＿Ｃｏｄｉｎｇ＿Ｉｎｄｉｃａｔｉｏｎ」フィールドに「ｂ０」が設定されていると判定された場合、本動作は、ステップＳ６０５に進む。
【０１４７】
ステップＳ６０３において、ＭＡＰ領域解析部２０Ｃは、ＤＬＦＰ内の「Ｅｘｔｅｎｄｅｄ＿Ｒｅｐｅｔｉｔｉｏｎ＿Ｓｉｚｅ」フィールドの設定値に基づいて、ＤＬ-ＭＡＰの挿入に使用されている下りバースト領域における未使用領域のサイズについての情報を取得する。
【０１４８】
ステップＳ６０４において、ＭＡＰ領域解析部２０Ｃは、ＭＡＰ領域を、従来のＤＬＦＰによって示されているＭＡＰ領域のサイズから、「Ｅｘｔｅｎｄｅｄ＿Ｒｅｐｅｔｉｔｉｏｎ＿Ｓｉｚｅ」フィールドの設定値相当のサイズ分だけ拡大したものとする。
【０１４９】
ステップＳ６０５において、復号部２０Ｄは、ステップＳ６０４において拡大されたＭＡＰ領域（又は、拡大されていないＭＡＰ領域）において（図１９における未使用領域Ｆにおいて）復号を行うことによって、未使用領域に対して繰り返し挿入されているＤＬ-ＭＡＰについても復元することができる。
【０１５０】
なお、日本国特許出願第２００６-１６１５０９号（２００６年６月９日出願）の全内容が、参照により、本願明細書に組み込まれている。
【０１５１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図１】
2012075159.tif 000003
【図２】
2012075159.tif 000004
【図３】
2012075159.tif 000005
【図４】
2012075159.tif 000006
【図５】
2012075159.tif 000007
【図６】
2012075159.tif 000008
【図７】
2012075159.tif 000009
【図８】
2012075159.tif 000010
【図９】
2012075159.tif 000011
【図１０】
2012075159.tif 000012
【図１１】
2012075159.tif 000013
【図１２】
2012075159.tif 000014
【図１３】
2012075159.tif 000015
【図１４】
2012075159.tif 000016
【図１５】
2012075159.tif 000017
【図１６】
2012075159.tif 000018
【図１７】
2012075159.tif 000019
【図１８】
2012075159.tif 000020
【図１９】
2012075159.tif 000021
【図２０】
2012075159.tif 000022
【図２１】
2012075159.tif 000023
【図２２】
2012075159.tif 000024